(57)【要約】【課題】画像メモリからの画像データ読出しのデータ転送単位としてのデータサイズを必要に応じて縮小することにより、クロックアップせずに画像メモリへの画像データの書込みを確実に行うとともに、コストダウンを図ることできる技術を提供する。【解決手段】画像データ書込要求信号と画像データ読出要求信号との受付けが重複したときに、ＶＲＡＭ７６６からの画像データ読出しにおけるデータ転送単位のデータサイズを縮小することにより、ＶＲＡＭ７６６からのデータ転送単位分の画像データ読出しに必要な時間が短縮されるので、この短縮された時間を利用してＶＲＡＭ７６６へ画像データを書込むことができ、クロックアップせずにＶＲＡＭ７６６への画像データの書込みを確実に行うことができる。また、クロックアップしなくともよいため、放射電磁波などを低減できるとともに省電力を図ることができるためコストダウンを図ることができる。【選択図】図３
2010097404.tif 000002
【特許請求の範囲】
【請求項１】
画像データを入力する画像データ入力手段と、
前記画像データ入力手段により入力された画像データが書込まれる書換自在の画像メモリと、
表示部の画面表示に同期して前記画像メモリから周期的に画像データを読出して、読出した画像データを前記表示部へ出力する画像データ出力手段と、
前記画像データ入力手段からの画像データ書込要求と、前記画像データ出力手段からの画像データ読出要求とに応じて、所定のデータサイズをデータ転送単位として、前記画像メモリへの画像データの書込みと、前記画像メモリからの画像データの読出しとを制御するメモリ制御手段とを備え、
前記メモリ制御手段は、
通常状態において、通常データサイズを前記データ転送単位として前記画像メモリから画像データを読出して前記画像データ出力手段に出力し、
前記画像データ書込要求と前記画像データ読出要求との受付けが重複したときには、前記通常データサイズよりも小さい縮小データサイズを前記データ転送単位として、前記画像メモリから画像データを読出して前記画像データ出力手段に出力する
ことを特徴とする画面表示制御装置。
【請求項２】
前記メモリ制御手段は、
前記縮小データサイズを前記データ転送単位とする前記画像メモリからの画像データの読出し時において、
前記画像データ書込要求および前記画像データ読出要求それぞれに基づく前記画像メモリへの画像データの書込み、および、前記画像メモリからの画像データの読出しが完了したときに、
新たな前記画像データ書込要求および前記画像データ読出要求の受付けが重複していなければ、前記通常状態の前記通常データサイズを前記データ転送単位とする請求項１に記載の画面表示制御装置。
【請求項３】
画像データを構成する画素データを上位ビット群と下位ビット群との２つに分割する画像データ分割手段をさらに備え、
前記画像データ分割手段は、前記通常データサイズ分の画像データの各画素データの前記上位ビット群のデータサイズを合計したデータサイズが前記縮小データサイズとなるように、前記各画素データを分割し、
前記メモリ制御手段は、前記画像データ入力手段により入力された画像データの前記画像メモリへの書込み時に、前記通常データサイズを前記データ転送単位とし、
前記画像データ分割手段により分割された、前記通常データサイズ分の前記各画素データの、前記上位ビット群を前記画像メモリに書込んだ後に、前記下位ビット群を前記画像メモリに書込む請求項１または２に記載の画面表示制御装置。
【請求項４】
前記縮小データサイズを前記データ転送単位とした前記メモリ制御手段による前記画像メモリからの画像データの読出し時に、前記メモリ制御手段により前記画像メモリから読出した前記各画素データの前記上位ビット群の各々に、任意の値を割当てて連結し前記各画素データを再構成する画像データ再構成手段をさらに備える請求項３に記載の画面表示制御装置。
【請求項５】
前記通常データサイズを前記データ転送単位とした前記メモリ制御手段による前記画像メモリからの画像データの読出し時に、前記メモリ制御手段により前記画像メモリから読出した前記各画素データの前記上位ビット群と前記下位ビット群とから前記各画素データを再構成する画像データ再構成手段をさらに備える請求項３に記載の画面表示制御装置。
【請求項６】
画像データを入力する画像データ入力手段と、
前記画像データ入力手段により入力された画像データが書込まれる書換自在の画像メモリと、
表示部の画面表示に同期して前記画像メモリから周期的に画像データを読出して、読出した画像データを前記表示部へ出力する画像データ出力手段と、
前記画像データ入力手段からの画像データ書込要求と、前記画像データ出力手段からの画像データ読出要求とに応じて、所定のデータサイズをデータ転送単位として、前記画像メモリへの画像データの書込みと、前記画像メモリからの画像データの読出しとを制御するメモリ制御手段とを備える画面表示制御装置の制御用プログラムにおいて、
通常状態において、通常データサイズを前記データ転送単位として前記画像メモリから画像データを読出して前記画像データ出力手段に出力し、
前記画像データ書込要求と前記画像データ読出要求との受付けが重複したときには、前記通常データサイズよりも小さい縮小データサイズを前記データ転送単位として、前記画像メモリから画像データを読出して前記画像データ出力手段に出力するように前記メモリ制御手段を制御する
ことを特徴とする画面表示制御装置の制御用プログラム。
【発明の詳細な説明】
【技術分野】
【０００１】
この発明は、画面表示制御を行う技術に関するものである。
【背景技術】
【０００２】
従来、特許文献１に記載されているような、画像データを処理する機能を備える画面表示制御装置が知られている。この種の画面表示制御装置は、処理した画像データを一時的に格納する画像メモリ（ＶｉｄｅｏＲＡＭ）を一般的に備えており、画像メモリに格納された処理済の画像データを周期的に読出すことで画面表示を行うように構成されている。
【０００３】
【特許文献１】特開２００７−２６４５７２号公報（段落００１７，００１８、図１など）
【発明の開示】
【発明が解決しようとする課題】
【０００４】
ところで、近年の液晶ディスプレイやプラズマディスプレイ、有機ＥＬディスプレイといった画面表示装置では、高解像度化および高諧調度化が進んでおり、画面表示装置に表示する画像のデータ容量も増大している。したがって、画像メモリから画像データを周期的に読出しながら新たな画像データを画像メモリに確実に書込むために、画像メモリからの画像データの読出し動作および画像メモリへの画像データの書込み動作の動作タイミングを規定するクロックをクロックアップする必要性が生じている。ところが、クロックアップすることで、装置の消費電流が大きくなること、さらに、装置外部への放射電磁波ノイズ対策のための部品が多く必要となることから、コストアップの原因となっていた。
【０００５】
この発明は、上記課題に鑑みなされたものであり、画像メモリからの画像データ読出しのデータ転送単位としてのデータサイズを必要に応じて縮小することにより、クロックアップせずに画像メモリへの画像データの書込みを確実に行うとともに、コストダウンを図ることできる技術を提供することを目的とする。
【課題を解決するための手段】
【０００６】
この発明にかかる画面表示制御装置は、上記目的を達成するため、画像データを入力する画像データ入力手段と、前記画像データ入力手段により入力された画像データが書込まれる書換自在の画像メモリと、表示部の画面表示に同期して前記画像メモリから周期的に画像データを読出して、読出した画像データを前記表示部へ出力する画像データ出力手段と、前記画像データ入力手段からの画像データ書込要求と、前記画像データ出力手段からの画像データ読出要求とに応じて、所定のデータサイズをデータ転送単位として、前記画像メモリへの画像データの書込みと、前記画像メモリからの画像データの読出しとを制御するメモリ制御手段とを備え、前記メモリ制御手段は、通常状態において、通常データサイズを前記データ転送単位として前記画像メモリから画像データを読出して前記画像データ出力手段に出力し、前記画像データ書込要求と前記画像データ読出要求との受付けが重複したときには、前記通常データサイズよりも小さい縮小データサイズを前記データ転送単位として、前記画像メモリから画像データを読出して前記画像データ出力手段に出力することを特徴としている。
【０００７】
また、この発明にかかる画面表示制御装置の制御用プログラムは、画像データを入力する画像データ入力手段と、前記画像データ入力手段により入力された画像データが書込まれる書換自在の画像メモリと、表示部の画面表示に同期して前記画像メモリから周期的に画像データを読出して、読出した画像データを前記表示部へ出力する画像データ出力手段と、前記画像データ入力手段からの画像データ書込要求と、前記画像データ出力手段からの画像データ読出要求とに応じて、所定のデータサイズをデータ転送単位として、前記画像メモリへの画像データの書込みと、前記画像メモリからの画像データの読出しとを制御するメモリ制御手段とを備える画面表示制御装置の制御用プログラムにおいて、通常状態において、通常データサイズを前記データ転送単位として前記画像メモリから画像データを読出して前記画像データ出力手段に出力し、前記画像データ書込要求と前記画像データ読出要求との受付けが重複したときには、前記通常データサイズよりも小さい縮小データサイズを前記データ転送単位として、前記画像メモリから画像データを読出して前記画像データ出力手段に出力するように前記メモリ制御手段を制御することを特徴としている。
【０００８】
このように構成された発明では、メモリ制御手段は、通常状態において、通常データサイズをデータ転送単位として画像メモリから画像データを読出して画像データ出力手段に出力するため、画像データ読出要求に応じて画像メモリから画像データが通常データサイズずつ周期的に読み出される。一方、画像データ書込要求と画像データ読出要求との受付けが重複したときには、メモリ制御手段は、通常データサイズよりも小さい縮小データサイズをデータ転送単位として、画像メモリから画像データを読出して画像データ出力手段に出力するため、画像メモリからの画像データの読出しは縮小データサイズずつ周期的に行われる。したがって、画像メモリからの画像データ読出しにおけるデータ転送単位のデータサイズを必要に応じて縮小することにより、画像メモリからのデータ転送単位分の画像データ読出しに必要な時間が短縮されるので、この短縮された時間を利用して画像メモリへ画像データを書込むことができ、クロックアップせずに画像メモリへの画像データの書込みを確実に行うことができる。また、クロックアップしなくともよいため、放射電磁波などを低減できるとともに省電力を図ることができるためコストダウンを図ることができる。
【０００９】
なお、メモリ制御手段による画像メモリへの画像データの書込み動作、および、画像メモリからの画像データの読出し動作の動作タイミングを規定するクロックしては、表示部の画像解像度および階調度に基づくデータサイズの画像データを、通常データサイズをデータ転送単位として、表示部の画面表示の所定のフレームレートに基づいて確実に画像メモリから読出しできる速度であればよい。また、縮小データサイズとしては、データ転送単位を縮小データサイズに縮小することで、画像メモリへ画像データを確実に書込みできるように、画像メモリからの画像データ読出し時間が短縮されるサイズに設定すればよい。
【００１０】
また、前記メモリ制御手段は、前記縮小データサイズを前記データ転送単位とする前記画像メモリからの画像データの読出し時において、前記画像データ書込要求および前記画像データ読出要求それぞれに基づく前記画像メモリへの画像データの書込み、および、前記画像メモリからの画像データの読出しが完了したときに、新たな前記画像データ書込要求および前記画像データ読出要求の受付けが重複していなければ、前記通常状態の前記通常データサイズを前記データ転送単位とするようにしてもよい。
【００１１】
このような構成とすれば、縮小データサイズをデータ転送単位をする画像メモリからの画像データの読出し時において、画像データ書込要求および画像データ読出要求に基づく画像メモリへの画像データの書込みと、画像メモリからの画像データの読出しとが完了したときに、新たな画像データ書込要求および画像データ読出要求とが重複していなければ、メモリ制御手段は、通常状態の通常データサイズをデータ転送単位とするため、確実に通常状態へと移行できる。
【００１２】
また、画像データを構成する画素データを上位ビット群と下位ビット群との２つに分割する画像データ分割手段をさらに備え、前記画像データ分割手段は、前記通常データサイズ分の画像データの各画素データの前記上位ビット群のデータサイズを合計したデータサイズが前記縮小データサイズとなるように、前記各画素データを分割し、前記メモリ制御手段は、前記画像データ入力手段により入力された画像データの前記画像メモリへの書込み時に、前記通常データサイズを前記データ転送単位とし、前記画像データ分割手段により分割された、前記通常データサイズ分の前記各画素データの、前記上位ビット群を前記画像メモリに書込んだ後に、前記下位ビット群を前記画像メモリに書込むようにしてもよい。
【００１３】
このような構成とすれば、メモリ制御手段は、画像データ入力手段により入力された画像データの画像メモリへの書込み時に、通常データサイズをデータ転送単位とし、画像データ分割手段により分割された通常データサイズ分の各画素データの、上位ビット群を画像メモリに書込んだ後に、下位ビット群を画像メモリに書込む。したがって、メモリ制御手段は、縮小データサイズをデータ転送単位としたメモリ制御手段による画像メモリからの画像データの読出し時に、データサイズの合計が縮小データサイズとなる上位ビット群のみを読出して画像データ出力手段に出力することで、データ転送単位を縮小したにも関わらず、全ての画素データに基づく画像を表示部に表示できる。
【００１４】
このとき、前記縮小データサイズを前記データ転送単位とした前記メモリ制御手段による前記画像メモリからの画像データの読出し時に、前記メモリ制御手段により前記画像メモリから読出した前記各画素データの前記上位ビット群の各々に、任意の値を割当てて連結し前記各画素データを再構成する画像データ再構成手段をさらに備えるのが好ましい。
【００１５】
このような構成とすれば、画像データ再構成手段が、メモリ制御手段により画像メモリから読出した各画素データの上位ビット群の各々に、任意の値を割当てて連結し各画素データを再構成することにより、上位ビット群のみのデータから表示部に表示可能な画像データを適正に再構成することができる。
【００１６】
また、前記通常データサイズを前記データ転送単位とした前記メモリ制御手段による前記画像メモリからの画像データの読出し時に、前記メモリ制御手段により前記画像メモリから読出した前記各画素データの前記上位ビット群と前記下位ビット群とから前記各画素データを再構成する画像データ再構成手段をさらに備えてもよい。
【００１７】
このような構成とすれば、画像データ再構成手段が、メモリ制御手段により画像メモリから読出した各画素データの上位ビット群と下位ビット群とから各画素データを再構成することにより、画像メモリに格納された画像データに基づく画像を確実に表示部に表示できる。
【発明を実施するための最良の形態】
【００１８】
図１は本発明の画面表示制御装置の一実施形態であるＬＣＤコントローラ７６が実装されるフォトプリンタ１０を示す斜視図である。また、図２はフォトプリンタ１０の内部構成の概略を示す図である。このフォトプリンタ１０では、プリンタ本体１２の内部にはプリント機構５０（図２参照）が内蔵されており、フォトプリンタ１０の全体の制御を司るコントローラ７０（図２参照）からの動作指令に応じて用紙Ｐへの印刷を実行する。そして、こうして印刷された用紙がプリンタ本体１２の前面に排紙される。
【００１９】
このプリンタ本体１２の前面には、図１に示すように、前面扉１４が開閉自在に取り付けられている。この前面扉１４はプリンタ本体１２の前面を開閉するための蓋である。そして、開状態のときには、プリント機構５０から排紙される用紙Ｐを受けるための排紙トレイとして機能する。また、プリンタ本体１２の前面に設けられた各種のメモリカードスロット１６をユーザが利用可能な状態となる。つまり、この状態でユーザは印刷対象となる画像ファイルを記憶したメモリカードＭをメモリカードスロット１６に差し込むことができる。画像ファイルデータを記憶する外部媒体としてはメモリカードに限定されず、ＵＳＢメモリやディスク媒体など他のものであってもよい。また、画像を記憶したデジタルカメラや携帯電話等の電子機器を本フォトプリンタ１０にケーブルや赤外線を利用した通信によって接続し外部媒体として機能させてもよい。
【００２０】
また、プリンタ本体１２の上面には操作パネル２０が設けられる一方、プリンタ本体１２の上面の奥の一辺に対してカバー３０が開閉自在に取り付けられている。このカバー３０は、プリンタ本体１２の上面を覆うことのできる大きさに成形された樹脂板であり、開状態では操作パネル２０の表面を外部に露出する（図１参照）。一方、カバー３０が閉状態に閉じられると、操作パネル２０全体を覆う。
【００２１】
この操作パネル２０には、文字や図形、記号などを表示する例えばＬＣＤディスプレイにより構成された表示部２２と、この表示部２２の周囲に配置されたボタン群２４とを備えている。ボタン群２４は、図２に示すように、電源のオンオフを行うための電源ボタン２４ａ、メインメニュー画面を呼び出すためのメニューボタン２４ｂ、操作を途中でキャンセルしたり用紙Ｐへの印刷を途中で中断したりするためのキャンセルボタン２４ｃ、用紙Ｐへの印刷実行を指示するための印刷ボタン２４ｄ、メモリカードスロット１６に挿入されたメモリカードＭに編集画像等を保存するための保存ボタン２４ｅ、表示部２２に表示された複数の選択肢の中から所望の選択肢を選択したりカーソルを移動したりするときに操作される上下左右の各矢印ボタン２４ｆ〜２４ｉ、この上下左右の各矢印ボタン２４ｆ〜２４ｉの中央に配置され各矢印ボタン２４ｆ〜２４ｉによって選択されている選択肢に決定したことを指示するためのＯＫボタン２４ｊ、表示部２２での画面表示を切り替えるための表示切替ボタン２４ｋ、表示部２２に表示される左ガイドを選択する左ガイド選択ボタン２４ｌ、表示部２２に表示される右ガイドを選択する右ガイド選択ボタン２４ｍ、排紙トレイとしての機能を備えた前面扉１４を開く排紙トレイオープンボタン２４ｎなどで構成されている。
【００２２】
また、表示部２２の表示内容を確認するために、カバー３０には表示部２２と同じ大きさの窓３２が設けられている。つまり、カバー３０が閉状態にあるときにはユーザはこの窓３２を介して表示部２２の表示内容を確認することができる。一方、カバー３０は開状態のときには、表示部２２を図１に示すように好みの角度に調整することが可能となっている。
【００２３】
このようにカバー３０を開状態としたときには、操作パネル２０に対して斜め後方に傾斜した状態でカバー３０は保持され、用紙Ｐをプリント機構５０へ供給するためのトレイとして利用可能となっている。また、操作パネル２０の奥には、プリント機構５０の給紙口５８が設けられるとともに、ガイド幅が用紙の幅に合うように左右方向にスライド操作される一対の用紙ガイド５９が設けられている。
【００２４】
そして、給紙口５８を介して用紙Ｐがプリント機構５０に送り込まれて印刷が実行される。このプリント機構５０には、図２に示すように、キャリッジ５３が左右方向にループ状に架け渡されたタイミングベルト５１により駆動されガイド５２に沿って左右に往復動する。このキャリッジ５３には、紙端検出センサ５７が設けられ、用紙Ｐの左右端や上下端を検出する。つまり、紙端検出センサ５７は、給紙口５８にセットされた用紙に対して印刷前にキャリッジ５３が左右方向に走査したときにその用紙の左右端を検出して用紙幅の認識を可能にしたり、印刷途中で用紙の後端を検出して用紙長さの認識を可能にしたりする。
【００２５】
また、このキャリッジ５３には、シアン・マゼンタ・イエロー・ブラック等の各色のインクを個別に収容したインクカートリッジ５４が搭載されている。これらのインクカートリッジ５４はそれぞれ印刷ヘッド５５に接続されている。そして、印刷ヘッド５５はインクカートリッジ５４からのインクに圧力をかけてノズル（図示省略）から用紙Ｐに向かってインクを吐出する。この実施形態では、印刷ヘッド５５は圧電素子に電圧をかけることにより該圧電素子を変形させてインクを加圧する方式を採用しているが、発熱抵抗体（例えばヒータなど）に電圧をかけインクを加熱して発生した気泡によりインクを加圧する方式を採用してもよい。こうして印刷された用紙Ｐは搬送ローラ５６によって開状態の前面扉（排紙トレイ）１４へ送り出される。
【００２６】
また、図示を省略しているものの、プリンタ本体１２の背面にはバッテリパックを装着可能となっており、商用電源に接続しなくとも本プリンタ１０をバッテリにより動作させることが可能となっている。この点および本プリンタ１０がホストコンピュータに接続しなくても使用することができるスタンドアロンプリンタとなっている点により、本プリンタ１０は持ち運び容易でどこでも使用できるようになっている。
【００２７】
図３はコントローラ７０の構成の一例を示すブロック図である。コントローラ７０は、図３に示すように、ＣＰＵ７１を中心とするマイクロプロセッサとして構成されており、各種処理プログラムや各種データ、各種プログラムや各種テーブルなどを記憶したＲＯＭ７２、一時的にデータを記憶するＲＡＭ７３、プリント機構５０やメモリカードスロット１６などとの通信を可能とするインターフェース（Ｉ／Ｆ）７４などを備えている。また、コントローラ７０は、メモリカードＭに編集画像などを保存するほか、プリント機構５０の印刷ヘッド５５への制御信号や操作パネルの表示部２２への制御信号を出力する。
【００２８】
また、コントローラ７０には、インターフェース７４を通してメモリカードＭなどの外部記憶媒体から与えられる画像データに対し必要な画像処理を行うための画像処理モジュール７５が設けられている。画像処理モジュール７５はまた、表示部２２に表示させるためのメニュー画面などのプリンタ固有の画像に対応する画像データや、アイコンなど、表示部２２に表示されるベース画像の一部と置換されて挿入される部分画像に対応する部分書込データを生成する機能を有している。
【００２９】
画像処理モジュール７５から出力されるＲＧＢ画像データは、表示部２２を表示制御するためのＬＣＤコントローラ７６（本発明の「画面表示制御装置」に相当）に与えられる。なお、以下では、ＬＣＤディスプレイにより構成される表示部２２の画素数はＷＶＧＡ（Wide Video Graphics Array）形式の８００ドット×４８０ドットであり、８００ドット分の画素データにより画像データの１ラインが構成されており、４８０ラインのラインデータにより一の画像が構成される。したがって、画像処理モジュール７５から、８００ドット×４８０ドットの大きさの表示部２２の一画面に相当する画像のＲＧＢ画像データなどがＬＣＤコントローラ７６に入力されることとなる。なお、画像データを構成する各画素データの色解像度は、各色８ビット、合計２４ビット（３バイト）のデータサイズで、フルカラー表示可能に構成される。
【００３０】
ＬＣＤコントローラ７６は、同期信号発生部７６９を備え、表示部２２への画像の表示タイミングを制御するための水平・垂直同期信号など、種々の同期信号を発生可能に構成されている。また、同期信号発生部７６９は、後述するＲＡＭ制御部７６５の動作タイミングを規定するクロック（本実施形態では６６ＭＨｚ）を生成するように構成されている。また、画像処理モジュール７５から入力されたシリアルデータをパラレルデータに変換して画像データを入力する入力データ変換部（本発明の「画像データ入力手段」に相当）７６１と、入力データ変換部７６１によりパラレルデータに変換された画像データを一時的に保持可能なバッファ７６２とを備えている。そして、入力データ変換部７６１により入力されてバッファ７６２に一時的に保持された画像データが書込まれる書換自在のＶＲＡＭ７６６（本発明の「画像メモリ」に相当）と、表示部２２への画面表示の水平・垂直同期信号に同期してＶＲＡＭ７６６から周期的に画像データを読出して、読出した画像データを表示部２２へ出力するためのデータ変換を行い、表示部２２に出力する出力データ変換部（本発明の「画像データ出力手段」に相当）７６８とを備えている。したがって、ＶＲＡＭ７６６に格納された画像データは出力データ変換部７６８を介して表示部２２に出力されて表示される。なお、出力データ変換部７６８によりＶＲＡＭ７６６から読出された画像データはバッファ７６７に一時的に保持された後、表示部２２へ出力するためのデータ変換が行われた上で、表示部２２に出力されるように構成されている。
【００３１】
また、ＶＲＡＭ７６６には、少なくとも入力データ変換部７６１により入力された４８０ライン分（一の画像分）の画像データを格納可能な領域が設けられている。本実施形態では、ＶＲＡＭ７６６のメモリアドレス０、１０，２０…，４７９０が示す格納領域に、各ライン０，１，２…，４７９の画像データがそれぞれ格納されるように構成されている。
【００３２】
また、ＬＣＤコントローラ７６は、入力データ変換部７６１からの画像データ書込要求信号と、出力データ変換部７６８からの画像データ読出要求信号とに応じて、所定のデータサイズをデータ転送単位として、ＶＲＡＭ７６６への画像データの書込みと、ＶＲＡＭ７６６からの画像データの読出しとを制御するＲＡＭ制御部（本発明の「メモリ制御手段」に相当）７６５を備えている。
【００３３】
そして、ＲＡＭ制御部７６５は、通常状態において、通常データサイズ（本実施形態では２４バイト）をデータ転送単位としてＶＲＡＭ７６６から画像データを読出して出力データ変換部７６８に出力する。また、入力データ変換部７６１からの画像データ書込要求信号と、出力データ変換部７６８からの画像データ読出要求信号との受付けが重複したときには、通常データサイズよりも小さい縮小データサイズ（本実施形態では１６バイト）をデータ転送単位として、ＶＲＡＭ７６６から画像データを読出して出力データ変換部７６８に出力するように構成されている。また、ＲＡＭ制御部７６５は、縮小データサイズをデータ転送単位とするＶＲＡＭ７６６からの画像データ読出し時において、画像データ書込要求信号および画像データ読出要求信号それぞれに基づくＶＲＡＭ７６６への画像データの書込み、および、ＶＲＡＭ７６６からの画像データの読出しとが完了したときに、新たな画像データ書込要求信号および画像データ読出要求信号の受付けが重複していなければ、通常状態の通常データサイズをデータ転送単位とするように構成されている。
【００３４】
一方、本実施形態では、ＲＡＭ制御部７６５は、入力データ変換部７６１により入力された画像データのＶＲＡＭ７６６への書込み時には、通常データサイズ（２４バイト）をデータ転送単位として書込みを行うように構成されている。なお、上記したＲＡＭ制御部７６５の動作タイミングを規定するクロックとしては、表示部２２の画像解像度（ＷＶＧＡ）および階調度（２４ビットフルカラー）に基づくデータサイズの画像データを、表示部２２の画面表示の所定のフレームレート（６０フレーム／ｓ）でＶＲＡＭ７６６から読出しできる速度であればよい。
【００３５】
また、本実施形態では、ＲＡＭ制御部７６５とＶＲＡＭ７６６との間のデータバス幅は１６ビット（２バイト）に構成されている。そして、ＲＡＭ制御部７６５およびＶＲＡＭ７６６間の画像データの転送効率を向上するために、上記したように、所定のデータサイズをデータ転送単位として、画像データをバースト転送するように構成されている。すなわち、データ転送単位が２４バイトのときは、１２バースト転送（２バイト×１２回）することにより２４バイトずつ画像データを転送し、データ転送単位が１６バイトのときは、８バースト転送（２バイト×８回）することにより１６バイトずつ画像データを転送するように構成されている。なお、ＲＡＭ制御部７６５とＶＲＡＭ７６６との間のデータバス幅については１６ビットに限定されるものではない。また、データ転送単位としての通常データサイズおよび縮小データサイズの大きさについては、上記した値に限定されるものではなく、装置の構成などに基づいて適宜変更することができる。
【００３６】
また、ＬＣＤコントローラ７６は、入力データ変換部７６１からの画像データを構成する画素データを、必要に応じて上位ビット群と下位ビット群との２つに分割する画像データ分割部（本発明の「画像データ分割手段」に相当）７６３を備えている。なお、本実施形態では、画像データ分割部７６３は常に、画素データを上位ビット群と下位ビット群とに分割し、ＲＡＭ制御部７６５は、画像データ分割部７６３により分割された状態の画素データを予め定められた規則性でＶＲＡＭ７６６に書込むように構成されている。次に、図４および図５を参照して、画像データ分割部７６３と、ＲＡＭ７６５による画像データのＶＲＡＭ７６６への書込みについて詳細に説明する。
【００３７】
図４は画像データ分割部７６３による画素データの分割の一例を示す図、図５はＲＡＭ制御部７６５によるデータ転送単位（通常データサイズ）分の画像データのＶＲＡＭ７６６への書込みの構成の一例を示す図である。なお、図４および図５の各□の中の数字は、各データのビット位置を表す添え字である。また、図５の左側の１〜１２の数字はバースト転送の回数を示し、１バースト転送で２バイト（１６ビット）分の画素データが転送され、８バースト転送で縮小データサイズ（１６バイト）分の画素データが転送され、１２バースト転送で通常データサイズ分（２４バイト）分の画素データが転送されることを示す。
【００３８】
図４に示すように、画像データ分割部７６３は、各画素データを構成する８ビットのＲ（赤）・Ｇ（緑）・Ｂ（青）のデータをそれぞれ、
Ｒ：「76543210」→上位ビット群「76543」、下位ビット群「210」
Ｇ：「76543210」→上位ビット群「765432」、下位ビット群「10」
Ｂ：「76543210」→上位ビット群「76543」、下位ビット群「210」
のように分割する。なお、上位ビット群がＲ：５ビット、Ｇ：７ビット、Ｂ：５ビットとなるように分割するのは、いわゆる、ハイカラー表示による階調度数と同様の画素データ構成とするためであり、画素データをこのように分割することにより、上位ビット群のみに基づいて表示部２２に画像を表示したときの、表示部２２に表示される画像の劣化を抑制できる。
【００３９】
また、図５に示すように、本実施形態では、画像データ分割部７６３は、通常データサイズ（２４バイト）分の画像データの各画素データの上位ビット分のデータサイズを合計したデータサイズが縮小データサイズ（１６バイト）となるように、各画素データを分割する。また、図５に示すように、ＲＡＭ制御部７６５は、画像データ分割部７６３により分割された、通常データサイズ分の各画素データの、上位ビット群をＶＲＡＭ７６６に転送して書込んだ後に、下位ビット群をＶＲＡＭ７６６に転送して書込むように構成されている。
【００４０】
また、ＬＣＤコントローラ７６は、上記したように各画素データが画像データ分割部７６３により分割された状態でＲＡＭ制御部７６５によりＶＲＡＭ７６６に書込まれた各画素データの、ＲＡＭ制御部７６５による読出し時に、分割された画素データを再構成して出力データ変換部７６８に出力する画像データ再構成部（本発明の「画像データ再構成手段」に相当）７６４を備えている。
【００４１】
画像データ再構成部７６４は、通常データサイズをデータ転送単位としたＲＡＭ制御部７６５によるＶＲＡＭ７６６からの画像データの読出し時に、ＲＡＭ制御部７６５からの指令信号に応じて、ＲＡＭ制御部７６５がＶＲＡＭ７６６から読出した各画素データの上位ビット群と下位ビット群とから各画素データを再構成するように構成されている。一方、画像データ再構成部７６４は、縮小データサイズをデータ転送単位としたＲＡＭ制御部７６５によるＶＲＡＭ７６６からの画像データの読出し時に、ＲＡＭ制御部７６５からの指令信号に応じて、ＲＡＭ制御部７６５がＶＲＡＭ７６６から読出した各画素データの上位ビット群の各々に、任意の値（本実施形態では”０”）を割当てて連結し各画素データを再構成するように構成されている。なお、上位ビット群の各々に割当てる値としては、上記した値”０”に限定されるものではなく、目的に応じて適宜、最適な値を割当てればよい。
【００４２】
なお、ＬＣＤコントローラ７６は、それぞれメモリ等により構成された、書込ラインカウンタ（図示省略）と、読出ラインカウンタ（図示省略）と、書込画素カウンタ（図示省略）と、読出画素カウンタ（図示省略）とを備えている。この読出画素カウンタの値は、ＶＲＡＭ７６６からの１画素分の画像データの読出しタイミングを規定するためのクロックに基づいて加算される。また、書込画素カウンタの値は、ＶＲＡＭ７６６からの１画素分の画像データの書込みタイミングを規定するためのクロックに基づいて加算される。また、読出画素カウンタは水平同期信号の出力時に”０”にリセットされ、１画素分の画像データの読出しタイミングを規定するクロックの度に加算されるように構成されている。したがって、水平同期信号が出力されるともに読出画素カウンタの”０”からの加算が開始される。次に、図６を参照して読出データサイズ切換処理について説明する。
【００４３】
＜読出データサイズ切換処理＞
図６はＲＡＭ制御部７６５によるＶＲＡＭ７６６からの画像データの読出データサイズの切換処理の一例を示すフローチャートである。上記したように、ＲＡＭ制御部７６５は、通常状態として、通常データサイズをデータ転送単位としてＶＲＡＭ７６６から画像データを読出して出力データ変換部７６８に出力するように構成されている。そして、図６に示す読出データサイズ切換処理が実行されて、同期信号発生部７６９からＲＡＭ制御部７６５にクロックが出力される度に、ＲＡＭ制御部７６５は、入力データ変換部７６１からの画像データ書込要求信号と、出力データ変換部７６８からの画像データ読出要求信号との受付けが重複するかどうかを判定する（ステップＳ１）。
【００４４】
そして、画像データ書込信号と画像データ読出信号との受付けが重複することがなければ、ＲＡＭ制御部７６５はステップＳ１において、常にＮＯと判定し、データ転送単位としての読出データサイズは常に通常データサイズに設定されて、画像データ再構成部７６４に、読出した上位ビット群および下位ビット群から画素データを再構成するように指令信号が与えられる（ステップＳ３）。一方、画像データ書込信号と画像データ読出信号との受付けが重複し、ステップＳ１においてＹＥＳと判定されれば、ＲＡＭ制御部７６５は、データ転送単位としての読出データサイズを縮小データサイズに設定し、画像データ再構成部７６４に、読出した上位ビット群に”０”を割当てて連結することにより画素データを再構成するように指令信号が与えられる（ステップＳ２）。そして、読出データサイズ切換処理の実行を一時的に停止する。
【００４５】
次に、ＲＡＭ制御部７６５による縮小データサイズをデータ転送単位とするＶＲＡＭ７６６からの画像データの読出し時において、ＲＡＭ制御部７６５が重複して受付けた、画像データ書込要求信号および画像データ読出要求信号それぞれに基づくＶＲＡＭ７６６からの画像データの読出しと、ＶＲＡＭ７６６への画像データ書込みとが完了したときに、図６に示す読出データサイズ切換処理が再開されて、ステップＳ１が実行される。そして、新たな画像データ書込要求信号および画像データ読出要求信号との受付けが重複していなければ、ステップＳ１においてＮＯと判定されて、データ転送単位としての読出データサイズは通常データサイズに設定されて、画像データ再構成部７６４に、読出した上位ビット群および下位ビット群から画素データを再構成するように指令信号が与えられる（ステップＳ３）。
【００４６】
以上のように、本実施形態では、ＲＡＭ制御部７６５は、通常状態において、通常データサイズをデータ転送単位としてＶＲＡＭ７６６から画像データを読出して出力データ変換部７６８に出力するため、画像データ読出要求信号に応じてＶＲＡＭ７６６から画像データが通常データサイズずつ周期的に読み出される。一方、画像データ書込要求と画像データ読出要求との受付けが重複したときには、ＲＡＭ制御部７６５は、通常データサイズよりも小さい縮小データサイズをデータ転送単位として、ＶＲＡＭ７６６から画像データを読出して出力データ変換部７６８に出力するため、ＶＲＡＭ７６６からの画像データの読出しは縮小データサイズずつ周期的に行われる。したがって、ＶＲＡＭ７６６からの画像データ読出しにおけるデータ転送単位のデータサイズを必要に応じて縮小することにより、ＶＲＡＭ７６６からのデータ転送単位分の画像データ読出しに必要な時間が短縮されるので、この短縮された時間を利用してＶＲＡＭ７６６へ画像データを書込むことができ、クロックアップせずにＶＲＡＭ７６６への画像データの書込みを確実に行うことができる。また、クロックアップしなくともよいため、放射電磁波などを低減できるとともに省電力を図ることができるためコストダウンを図ることができる。
【００４７】
また、上記した実施形態では、縮小データサイズをデータ転送単位をするＶＲＡＭ７６６からの画像データの読出し時において、画像データ書込要求信号および画像データ読出要求信号に基づくＶＲＡＭ７６６への画像データの書込みと、ＶＲＡＭ７６６からの画像データの読出しとが完了したときに、新たな画像データ書込要求信号および画像データ読出要求信号とが重複していなければ、ＲＡＭ制御部７６５は、通常状態の通常データサイズをデータ転送単位とするため、確実に通常状態へと移行できる。
【００４８】
また、上記した実施形態によれば、ＲＡＭ制御部７６５は、入力データ変換部７６１により入力された画像データのＶＲＡＭ７６６への書込み時に、通常データサイズをデータ転送単位とし、画像データ分割部７６３により分割された通常データサイズ分の各画素データの、上位ビット群をＶＲＡＭ７６６に書込んだ後に、下位ビット群をＶＲＡＭ７６６に書込む。したがって、ＲＡＭ制御部７６５は、縮小データサイズをデータ転送単位としたＲＡＭ制御部７６５によるＶＲＡＭ７６６からの画像データの読出し時に、データサイズの合計が縮小データサイズとなる上位ビット群のみを読出して出力データ変換部７６８に出力することで、データ転送単位を縮小したにも関わらず、全ての画素データに基づく画像を表示部２２に表示できる。
【００４９】
また、上記した実施形態によれば、縮小データサイズをデータ転送単位をするＶＲＡＭ７６６からの画像データの読出し時において、画像データ再構成部７６４が、ＲＡＭ制御部７６５によりＶＲＡＭ７６６から読出した各画素データの上位ビット群の各々に、”０”を割当てて連結し各画素データを再構成することにより、上位ビット群のみのデータから表示部２２に表示可能な画像データを適正に再構成することができる。
【００５０】
また、上記した実施形態によれば、通常データサイズをデータ転送単位をするＶＲＡＭ７６６からの画像データの読出し時において、画像データ再構成部７６４が、ＲＡＭ制御部７６５によりＶＲＡＭ７６６から読出した各画素データの上位ビット群と下位ビット群とから各画素データを再構成することにより、ＶＲＡＭ７６６に格納された画像データに基づく画像を確実に表示部２２に表示できる。
【００５１】
なお、本発明は上記した実施形態に限定されるものではなく、その趣旨を逸脱しない限りにおいて上述したもの以外に種々の変更を行うことが可能である。例えば、上記した実施形態では、各画素データを画像データ分割部７６３により分割した後にＶＲＡＭ７６６に書込んだが、画素データを分割せずにＶＲＡＭ７６６に書込んでももちろんよい。また、本発明の画面表示制御にかかる各種機能をハードウェアにより構成したが、これらの機能を、ＣＰＵ７１またはＬＣＤコントローラ７６が別途備えるＣＰＵなどによって、ソフトウェアにより実現してもよい。このような構成としても、上記した効果と同様の効果を奏することができる。
【００５２】
また、上記実施形態では、インクカートリッジ方式のフォトプリンタ１０を例として説明したが、その他のインクジェット式プリンタ等の印刷装置にも本発明を適用してもよい。また、液晶ディスプレイやプラズマディスプレイ、有機ＥＬディスプレイといった画面表示装置に画像を表示する技術に本発明を広く適用できる。
【図面の簡単な説明】
【００５３】
【図１】本発明の画面表示制御装置が実装されるフォトプリンタを示す斜視図。
【図２】フォトプリンタの内部構成の概略を示す図。
【図３】コントローラの構成の一例を示すブロック図。
【図４】画素データの分割の一例を示す図。
【図５】データ転送単位分の画像データの構成の一例を示す図。
【図６】読出データサイズ切換処理の一例を示すフローチャート。
【符号の説明】
【００５４】
２２…表示部、７６…ＬＣＤコントローラ（画面表示制御装置）、７６１…入力データ変換部（画像データ入力手段）、７６３…画像データ分割部（画像データ分割手段）、７６４…画像データ再構成部（画像データ再構成手段）、７６５…ＲＡＭ制御部（メモリ制御手段）、７６６…ＶＲＡＭ（画像メモリ）、７６８…出力データ変換部（画像データ出力手段）
【図１】
2010097404.tif 000003
【図２】
2010097404.tif 000004
【図３】
2010097404.tif 000005
【図４】
2010097404.tif 000006
【図５】
2010097404.tif 000007
【図６】
2010097404.tif 000008